(57)【特許請求の範囲】
【請求項１】
サービス事業者の拠点の情報、及びモバイルバッテリの情報を管理する管理手段と、
前記サービス事業者の拠点の情報、及び、利用可能なモバイルバッテリの配置位置に基づいて、モバイルバッテリを搭載可能なモビリティを用いた前記サービス事業者によるサービスの提供可能な範囲を特定する制御手段と
を有し、
前記サービス事業者によるサービスを提供可能な距離は、サービスの種類に応じて異なることを特徴とするサービス管理システム。
【請求項２】
前記サービス事業者の拠点の位置と、前記サービスの提供先の位置と、利用可能なモバイルバッテリが配置された位置とのそれぞれの間の距離を算出する算出手段を更に有し、
前記制御手段は、前記算出手段にて算出された距離に基づいて、前記サービス事業者によるサービスの提供可能な範囲を特定することを特徴とする請求項１に記載のサービス管理システム。
【請求項３】
前記サービス事業者により提供可能なサービスを、ユーザに提示する提示手段を更に有し、
前記提示手段は、前記制御手段にて特定されたサービスの提供可能な範囲に基づいて、当該ユーザに提供可能なサービスを提示することを特徴とする請求項１または２に記載のサービス管理システム。
【請求項４】
前記サービス事業者の拠点以外の位置に配置されているモバイルバッテリの情報を収集する収集手段を更に有することを特徴とする請求項１乃至３のいずれか一項に記載のサービス管理システム。
【請求項５】
前記モバイルバッテリの情報は、モバイルバッテリの充電に関する情報を含むことを特徴とする請求項１乃至４のいずれか一項に記載のサービス管理システム。
【請求項６】
前記モバイルバッテリの配置位置に関する情報は、当該モバイルバッテリが移動され、充電が再開されたことに応じて、更新されることを特徴とする請求項１乃至５のいずれか一項に記載のサービス管理システム。
【請求項７】
モバイルバッテリが配置された位置におけるタスクを受け付ける受付手段と、
前記受付手段にて受け付けたタスクを当該モバイルバッテリの情報と対応付けて提示する提示手段と、
を更に有することを特徴とする請求項１乃至６のいずれか一項に記載のサービス管理システム。
【請求項８】
前記収集手段は、前記モバイルバッテリが配置された位置において充電されている際に、当該モバイルバッテリの情報を収集することを特徴とする請求項４に記載のサービス管理システム。
【請求項９】
前記モバイルバッテリが配置される位置は、サービス事業者の拠点、または、サービスの提供先のいずれかであることを特徴とする請求項１乃至８のいずれか一項に記載のサービス管理システム。
【請求項１０】
サービス事業者の拠点の情報、及びモバイルバッテリの情報を取得する取得手段と、
前記サービス事業者の拠点の情報、及び、利用可能なモバイルバッテリの配置位置に基づいて、モバイルバッテリを搭載可能なモビリティを用いた前記サービス事業者によるサービスの提供可能な範囲を特定する制御手段と
を有し、
前記サービス事業者によるサービスを提供可能な距離は、サービスの種類に応じて異なることを特徴とする情報処理装置。
【請求項１１】
前記サービス事業者の拠点の位置と、前記サービスの提供先の位置と、利用可能なモバイルバッテリが配置された位置とのそれぞれの間の距離を算出する算出手段を更に有し、
前記制御手段は、前記算出手段にて算出された距離に基づいて、前記サービス事業者によるサービスの提供可能な範囲を特定することを特徴とする請求項１０に記載の情報処理装置。
【請求項１２】
前記サービス事業者により提供可能なサービスを、ユーザに提示する提示手段を更に有し、
前記提示手段は、前記制御手段にて特定されたサービスの提供可能な範囲に基づいて、当該ユーザに提供可能なサービスを提示することを特徴とする請求項１０または１１に記載の情報処理装置。 
【請求項１３】
前記サービス事業者の拠点以外の位置に配置されているモバイルバッテリの情報を収集する収集手段を更に有することを特徴とする請求項１０乃至１２のいずれか一項に記載の情報処理装置。 
【請求項１４】
前記モバイルバッテリの情報は、モバイルバッテリの充電に関する情報を含むことを特徴とする請求項１０乃至１３のいずれか一項に記載の情報処理装置。 
【請求項１５】
前記モバイルバッテリの配置位置に関する情報は、当該モバイルバッテリが移動され、充電が再開されたことに応じて、更新されることを特徴とする請求項１０乃至１４のいずれか一項に記載の情報処理装置。 
【請求項１６】
モバイルバッテリが配置された位置におけるタスクを受け付ける受付手段と、 
前記受付手段にて受け付けたタスクを当該モバイルバッテリの情報と対応付けて提示する提示手段と、 
を更に有することを特徴とする請求項１０乃至１５のいずれか一項に記載の情報処理装置。 
【請求項１７】
前記収集手段は、前記モバイルバッテリが配置された位置において充電されている際に、当該モバイルバッテリの情報を収集することを特徴とする請求項１３に記載の情報処理装置。 
【請求項１８】
前記モバイルバッテリが配置される位置は、サービス事業者の拠点、または、サービスの提供先のいずれかであることを特徴とする請求項１０乃至１７のいずれか一項に記載の情報処理装置。 
【請求項１９】
サービス事業者の拠点の情報、及びモバイルバッテリの情報を管理するサービス管理システムにおけるサービス管理方法であって、 
前記サービス事業者の拠点の情報、及び、利用可能なモバイルバッテリの配置位置に基づいて、モバイルバッテリを搭載可能なモビリティを用いた前記サービス事業者によるサービスの提供可能な範囲を特定する制御工程を有し、
前記サービス事業者によるサービスを提供可能な距離は、サービスの種類に応じて異なることを特徴とするサービス管理方法。 
【請求項２０】
前記サービス事業者の拠点の位置と、前記サービスの提供先の位置と、利用可能なモバイルバッテリが配置された位置とのそれぞれの間の距離を算出する算出工程を更に有し、 
前記制御工程において、前記算出工程にて算出された距離に基づいて、前記サービス事業者によるサービスの提供可能な範囲を特定することを特徴とする請求項１９に記載のサービス管理方法。 
【請求項２１】
前記サービス事業者により提供可能なサービスを、ユーザに提示する提示工程を更に有し、 
前記提示工程において、前記制御工程にて特定されたサービスの提供可能な範囲に基づいて、当該ユーザに提供可能なサービスを提示することを特徴とする請求項１９または２０に記載のサービス管理方法。 
【請求項２２】
前記サービス事業者の拠点以外の位置に配置されているモバイルバッテリの情報を収集する収集工程を更に有することを特徴とする請求項１９乃至２１のいずれか一項に記載のサービス管理方法。 
【請求項２３】
前記モバイルバッテリの情報は、モバイルバッテリの充電に関する情報を含むことを特徴とする請求項１９乃至２２のいずれか一項に記載のサービス管理方法。 
【請求項２４】
前記モバイルバッテリの配置位置に関する情報は、当該モバイルバッテリが移動され、充電が再開されたことに応じて、更新されることを特徴とする請求項１９乃至２３のいずれか一項に記載のサービス管理方法。 
【請求項２５】
モバイルバッテリが配置された位置におけるタスクを受け付ける受付工程と、 
前記受付工程にて受け付けたタスクを当該モバイルバッテリの情報と対応付けて提示する提示工程と、 
を更に有することを特徴とする請求項１９乃至２４のいずれか一項に記載のサービス管理方法。 
【請求項２６】
前記収集工程において、前記モバイルバッテリが配置された位置において充電されている際に、当該モバイルバッテリの情報を収集することを特徴とする請求項２２に記載のサービス管理方法。 
【請求項２７】
前記モバイルバッテリが配置される位置は、サービス事業者の拠点、または、サービスの提供先のいずれかであることを特徴とする請求項１９乃至２６のいずれか一項に記載のサービス管理方法。 
【請求項２８】
モバイルバッテリを搭載したモビリティの位置情報、及び前記モビリティの周辺に位置するモバイルバッテリの配置位置の情報を取得する取得手段と、 
前記モビリティの位置情報、及び前記モビリティの周辺に位置するモバイルバッテリの配置位置の情報に基づいて、当該モビリティにて到達可能な範囲を特定する制御手段と、
前記制御手段によって特定された、当該モビリティにて到達可能な範囲を示す画面を提供する提供手段と 
を有することを特徴とする端末装置。 
【請求項２９】
モビリティに対して着脱可能なモバイルバッテリであって、
データを収集する収集手段と、 
前記収集手段にて収集したデータを保持する保持手段と、 
電力を蓄積する蓄電手段と、 
前記保持手段にて保持されたデータを出力する出力手段と 
を有し、 
前記収集手段は、前記モビリティから取り外され、前記蓄電手段に対する充電が行われている際に、周辺に位置する外部機器から送信された所定の情報を収集することを特徴とするモバイルバッテリ。 
【請求項３０】
前記外部機器は、医療機器であり、 
前記所定の情報は、生体情報であることを特徴とする請求項２９に記載のモバイルバッテリ。 
【請求項３１】
前記外部機器は、撮像装置であり、 
前記所定の情報は、動画であることを特徴とする請求項２９または３０に記載のモバイルバッテリ。 
【請求項３２】
前記外部機器は、録音装置であり、 
前記所定の情報は、音声であることを特徴とする請求項２９乃至３１のいずれか一項に記載のモバイルバッテリ。 
【請求項３３】
前記出力手段は、前記モバイルバッテリが通信手段を有するモビリティに接続された際に、前記通信手段を介して前記データを外部装置へ出力することを特徴とする請求項２９乃至３２のいずれか一項に記載のモバイルバッテリ。 
【請求項３４】
前記出力手段は、所定の外部装置に接続された際に、前記データを出力することを特徴とする請求項２９乃至３３のいずれか一項に記載のモバイルバッテリ。
【発明の詳細な説明】
【技術分野】
【０００１】
本発明は、サービス管理システム、情報処理装置、サービス管理方法、端末装置、及びモバイルバッテリに関する。
【背景技術】
【０００２】
従来、可搬性の高いモバイルバッテリを用いたモビリティ（例えば、電動バイクなど）が知られており、人の移動や荷物の運搬などに利用されている。【０００３】
一方、従来のモバイルバッテリでは、充電に時間がかかり、また、その充電容量によってはモビリティに搭載した際のモビリティの活動範囲が限られてしまうという課題がある。【０００４】
例えば、特許文献１では、電気車両がバッテリの充電状態及び車両の地理的位置に基づいて、到達可能なバッテリサービスステーションを識別するシステムが開示されている。
【先行技術文献】
【特許文献】
【０００５】
【特許文献１】特開２０１４−８５５４６号公報
【発明の概要】
【発明が解決しようとする課題】
【０００６】
上記のようなモバイルバッテリを用いたモビリティを出張サービス事業者が活用する場合を考える。出張サービス事業者においては、ある拠点を中心として、広範囲のエリアへサービスを提供しつつ、エネルギーの補給（バッテリ交換）を効率的に行うことが求められている。【０００７】
出張サービスの例としては、医療分野における在宅介護サービスなどが挙げられる。在宅介護サービスでは、訪問先の場所がある程度確定されている。このような訪問先には、複数回の訪問が行われることが一般的であり、また、サービス事業者の拠点から出張する際には、複数の訪問先へまとめて訪問することがある。【０００８】
本発明では、上記のような出張サービスの特性を踏まえ、モバイルバッテリを用いたモビリティを利用して出張サービスを提供する際の利便性を向上させるシステムを提供することを目的とする。
【課題を解決するための手段】
【０００９】
上記課題を解決するために本願発明は以下の構成を有する。すなわち、サービス管理システムであって、
サービス事業者の拠点の情報、及びモバイルバッテリの情報を管理する管理手段と、
前記サービス事業者の拠点の情報、及び、利用可能なモバイルバッテリの配置位置に基づいて、モバイルバッテリを搭載可能なモビリティを用いた前記サービス事業者によるサービスの提供可能な範囲を特定する制御手段と
を有し、
前記サービス事業者によるサービスを提供可能な距離は、サービスの種類に応じて異なる。
【発明の効果】
【００１０】
本願発明により、モバイルバッテリを用いたモビリティを利用して出張サービスを提供する際の利便性を向上させることができる。
【図面の簡単な説明】
【００１１】
添付図面は明細書に含まれ、その一部を構成し、本発明の実施の形態を示し、その記述と共に本発明の原理を説明するために用いられる。
【図１】本願発明の一実施形態に係るモビリティによる出張サービスを説明するための図。
【図２】本実施形態に係るモビリティによる行動範囲を説明するための図。
【図３】本実施形態に係る情報処理装置のハードウェア構成の例を示す図。
【図４】本実施形態に係るモバイルバッテリのハードウェア構成の例を示す図。
【図５】第１の実施形態に係る情報処理装置のソフトウェア構成の例を示す図。
【図６】第１の実施形態に係るサービス提供範囲の決定処理のフローチャート。
【図７】第１の実施形態に係るデータ収集に関するシーケンス図。
【図８】第２の実施形態に係るデータ収集に関するシーケンス図。
【図９】第３の実施形態に係るソフトウェア構成の例を示す図。
【図１０】第３の実施形態に係るＵＩの構成例を示す図。
【図１１】第３の実施形態に係る表示処理のシーケンス図。
【発明を実施するための形態】
【００１２】
以下、本願発明に係る実施形態について、図面を用いて説明する。なお、以下に示す構成等は一例であり、これに限定するものではない。
【００１３】
＜第１の実施形態＞
［出張サービス］
本実施形態に係る出張サービスの概念を、図１を用いて説明する。本実施形態では、モバイルバッテリを搭載したモビリティとして、電動バイクを例に挙げて説明するが、これに限定するものではない。また、モビリティに搭載されるモバイルバッテリは１つであってもよいし、複数であってもよい。また、モバイルバッテリは、モビリティに対し着脱可能であるとする。
【００１４】
また、以下に説明する「サービス」とは、モバイルバッテリを搭載し、この電力を用いて動作可能なモビリティを利用して訪問により提供されるサービスを示すものとする。
【００１５】
図１において、サービス拠点１０１は、サービス事業者の拠点であり、サービスを提供する人物（以下、サービスマン）はサービス拠点１０１を中心として各出張先へ出張を行う。ここでの出張には、モビリティ１０２が利用されるものとし、サービス拠点１０１には、複数のモビリティ１０２、及び、モビリティ１０２に搭載可能なモバイルバッテリ１０３が保持されているものとする。また、本実施形態において、サービス拠点１０１に保持されているモバイルバッテリ１０３には、充電が行われ、次回の使用に備えているものとする。
【００１６】
サービス拠点１０１の周辺には、サービス提供先となる複数の出張先（以下、訪問先）が位置する。これらの複数の訪問先のうち、訪問先１０４〜１０６にはそれぞれモバイルバッテリ１１０〜１１２が配置されている。モバイルバッテリ１１０〜１１２は、充電が行われており、必要に応じて利用可能であるとする。モバイルバッテリ１１０〜１１２は、家庭用電源から充電が可能であるとして説明を行う。一方、訪問先１０７〜１０９にはモバイルバッテリが配置されていないものとする。
【００１７】
図１に示す破線１１３は、フル充電したモバイルバッテリ１０３を搭載したモビリティ１０２が、サービス拠点１０１から移動可能な範囲を示している。ここでは、１回の充電で、モビリティ１０２が、サービス拠点１０１から往復が可能な最大の範囲を示している。
【００１８】
なお、サービスマンは、１度の出張において、複数の訪問先を訪問する場合があるため、その場合には、移動可能な範囲は変動する。また、外的要因（天候や道路の形状、搭乗者の属性など）もしくは内的要因（モビリティ１０２やモバイルバッテリ１０３の劣化度合いなど）に応じて、移動可能な範囲は変動する。
【００１９】
このような状況を踏まえ、例えば、破線１１３で示す領域外に位置する訪問先１０６にサービスを提供することを考える。従来であれば、訪問先１０６は、破線１１３の領域外であるため、モビリティ１０２を移動手段として用いてサービスを提供することはできない。
【００２０】
［モビリティの行動範囲］
図２を用いて、本実施形態に係るモビリティの行動範囲の拡大について説明する。
【００２１】
図１を用いて説明したように、サービス拠点１０１を中心とした場合、１回の充電でモビリティ１０２が移動可能な範囲は一定の範囲に制限される。これに対し、本実施形態では、各訪問先にモバイルバッテリを配置することで、モビリティ１０２の移動可能な範囲を拡大する。
【００２２】
モビリティ２０１は、フル充電のモバイルバッテリを搭載している場合において、現在位置から、破線２０２にて示す範囲を移動可能な範囲とする。この場合、モビリティ２０１は、訪問先２０３、２０４には移動可能である。ここで、訪問先２０３〜２０６にはそれぞれ充電されたモバイルバッテリ２０７〜２１０が配置されているとする。このとき、サービスマンは、モビリティ２０１により訪問先２０３に訪問を行い、モバイルバッテリ２０７に交換することで、訪問先２０３を中心とした破線２１１にて示す範囲に移動可能となる。その結果、サービスマンは訪問先２０５に移動（到達）可能となる。更には、訪問先２０５に配置されているモバイルバッテリ２０９に交換することで、更なる移動可能な範囲を拡張することができる。また、交換する際には、それまで搭載（使用）していたモバイルバッテリを各訪問先にて充電させるようにする。
【００２３】
このように、各訪問先に配置して充電していたモバイルバッテリと適時交換することで、モビリティの移動可能な範囲を拡張・変化させることができる。その結果、例えば、図１に示すような、サービス拠点１０１から離れている、すなわち、１度のフル充電されたモバイルバッテリでは移動できない位置にある訪問先１０６にもサービスの提供が可能となる。
【００２４】
［ハードウェア構成例］
（情報処理装置）
図３、図４を用いて、本実施形態に係る各装置のハードウェアの構成例について説明する。
【００２５】
図３は、本実施形態に係る情報処理装置のハードウェア構成の例を示す図である。ここでは、ユーザが使用するユーザ端末としての端末装置３００と、システム全体を管理・制御する情報処理装置としてのサーバ３１０とを含んで構成される。また、端末装置３００とサーバ３１０とはネットワーク３０９を介して通信可能に構成される。
【００２６】
端末装置３００は、ＣＰＵ３０１、ＲＡＭ３０２、ＲＯＭ３０３、ＨＤＤ３０４、表示装置３０５、入力装置３０６、およびＮＩＣ３０７を含んで構成される。各部位は、内部バス３０８を介して互いに通信可能に接続される。ＣＰＵ３０１は、端末装置３００の全体の制御を司る。ＲＡＭ(Random Access Memory)３０２は、揮発性の記憶領域であり、ワークメモリなどとして利用される。ROM(Read Only Memory)３０３は、不揮発性の記憶領域であり、各種プログラムやデータが保持される。ＨＤＤ(Hard Disk Drive)３０４は、不揮発性の記憶領域であり、各種データが保持される。
【００２７】
表示装置３０５は、ユーザに対し、各種データを表示する。入力装置３０６は、ユーザからの入力、操作を受け付ける。ＮＩＣ(Network Interface Card)３０７は、ネットワーク３０９を介した外部装置との通信を司り、各種データを送受信する。ここでの通信方法において、有線／無線や、通信方式を限定するものではなく、これらが組み合わせて行われてもよい。端末装置３００の例としては、例えば、スマートフォンやタブレット端末、モバイルPC、専用端末などが挙げられるが特に限定するものではない。
【００２８】
サーバ３１０は、ＣＰＵ３１１、ＲＡＭ３１２、ＲＯＭ３１３、ＨＤＤ３１４、表示装置３１５、入力装置３１６、およびＮＩＣ３１７を含んで構成される。各部位は、内部バス３１８を介して互いに通信可能に接続される。ＣＰＵ３１１は、サーバ３１０の全体の制御を司る。ＲＡＭ３１２は、揮発性の記憶領域であり、ワークメモリなどとして利用される。ROM３１３は、不揮発性の記憶領域であり、各種プログラムやデータが保持される。ＨＤＤ３１４は、不揮発性の記憶領域であり、各種データが保持される。
【００２９】
表示装置３１５は、ユーザ（例えば、サーバの管理者）に対し、各種データを表示する。入力装置３１６は、ユーザからの入力、操作を受け付ける。ＮＩＣ３１７は、ネットワーク３０９を介した外部装置との通信を司り、各種データを送受信する。ここでの通信方法において、有線／無線や、通信方式を限定するものではなく、これらが組み合わせて行われてもよい。
【００３０】
図３では、端末装置３００とサーバ３１０がそれぞれ１台のみ示されているが、更に多くの装置がネットワーク３０９を介して接続されてよい。
【００３１】
（モバイルバッテリ）
図４は、本実施形態に係るモバイルバッテリ４００の構成例を示す。モバイルバッテリ４００は、モビリティなどの電力により動作する装置に着脱可能に構成され、蓄電手段４０１、記憶手段４０２、通信手段４０３、及び入出力手段４０４を含んで構成される。蓄電手段４０１は、外部から供給された電力を蓄電する。記憶手段４０２は、各種データを記憶する。通信手段４０３は、外部との通信を行う。ここでは、通信手段４０３は、所定の通信規格（プロトコル）に従って、無線通信を行うものとするが、その通信方法は特に限定するものではない。
【００３２】
入出力手段４０４は、接続（搭載）された外部機器とのデータもしくは電力の入出力を行う。入出力手段４０４は、データが入力された場合には、記憶手段４０２に記憶させ、電力が入力された場合には、蓄電手段４０１に蓄電させる。また、外部からの要求に応じて、蓄電手段４０１に蓄電された電力を供給したり、記憶手段４０２に記憶されたデータを出力したりする。なお、モバイルバッテリ４００は、電動バイクなどのモビリティに接続することに限定するものではなく、様々な機器に接続され利用可能であるものとする。また、１つの機器に対し、１または複数のモバイルバッテリ４００が搭載可能であってよい。
【００３３】
［ソフトウェア構成例］
図５を用いて、本実施形態に係るサービス管理システムのサーバとして機能する情報処理装置のソフトウェアの構成例について説明する。
【００３４】
本実施形態に係るサーバ５００は、ユーザ情報管理手段５０１、バッテリ情報管理手段５０２、バッテリ情報収集手段５０３、サービス範囲判定手段５０４、サービス範囲提示手段５０５、ユーザ情報ＤＢ５０６、バッテリ情報ＤＢ５０７、サービス情報ＤＢ５０８、及び地図情報ＤＢ５０９を含んで構成される。
【００３５】
ユーザ情報管理手段５０１は、ユーザ情報ＤＢ（データベース）５０６に保持されたユーザ情報の管理、更新を行う。ここでのユーザとは、サービスの提供先となるサービス利用者と、サービスの提供を行うサービスマンを含むものとする。
【００３６】
バッテリ情報管理手段５０２は、バッテリ情報ＤＢ５０７に保持された情報の管理、更新を行う。ここでの管理対象となるモバイルバッテリは、サービス拠点１０１に配置されているモバイルバッテリ、訪問先に配置されているモバイルバッテリ、及び、モビリティにて使用中のモバイルバッテリなどが含まれる。
【００３７】
バッテリ情報収集手段５０３は、管理対象のモバイルバッテリから適時情報を収集し、バッテリ情報管理手段５０２に提供する。ここでの収集方法は、無線通信を介したモバイルバッテリからの収集や、管理者からの入力などが挙げられるが、特に限定するものではない。また、新たに使用するモバイルバッテリの登録や、管理対象外とするモバイルバッテリの削除などを受け付けてもよい。
【００３８】
サービス範囲判定手段５０４は、バッテリ情報ＤＢ５０７、サービス情報ＤＢ５０８、もしくは地図情報ＤＢ５０９などにて管理されている情報に基づいて、現在提供可能なサービスおよびその提供可能な範囲を判定する。
【００３９】
サービス範囲提示手段５０５は、サービス範囲判定手段５０４にて判定されたサービス範囲をユーザに提供する。提供方法については、特に限定するものでは無いが、例えば、サービス利用者が、サービスの申し込みをする際に、自身（例えば、提供先の家）の位置に基づいて、提供可能なサービスが表示されるようにしてもよい。ここでの申し込みは、Ｗｅｂブラウザを介したＷｅｂページから申し込みできるような構成であってもよいし、情報処理端末（携帯端末）にインストールされたアプリケーションを介して申し込みを行うような構成であってもよい。
【００４０】
ユーザ情報ＤＢ５０６は、各ユーザの情報が保持されている。例えば、サービス利用者であるユーザに関する情報としては、提供先（訪問先）となる家の位置情報や、バッテリの設置の可否、訪問履歴、サービスの利用履歴などが挙げられる。また、サービスマンであるユーザに関する情報としては、現在利用しているモビリティやモバイルバッテリの情報や、現在位置、訪問履歴、対応可能なサービスの内容、訪問スケジュールなどが挙げられる。
【００４１】
バッテリ情報ＤＢ５０７は、各モバイルバッテリの情報が保持されている。モバイルバッテリの情報としては、例えば、現在の使用状況、配置位置、充電状況（電力の残量）、記憶容量の状況、使用履歴などが挙げられる。
【００４２】
サービス情報ＤＢ５０８は、サービスに関する情報が保持されている。サービスに関する情報としては、提供可能なサービスの内容、サービスに要するリソース、サービスのスケジュールなどが挙げられる。
【００４３】
地図情報ＤＢ５０９は、サービス拠点や訪問先周辺などの地図情報が保持される。ここで、サービス利用者の利用履歴に基づいて、訪問先の情報がマッピングされていてもよい。
【００４４】
なお、図５に示すサーバの各手段は、複数の情報処理装置にて負荷分散させることで構成されてもよい。また、各データベースは、各手段を有するサーバ自体が保持する構成に限定するものではなく、ネットワークを介して通信可能に接続された機器に構成されてもよい。この場合には、サーバは外部の機器にアクセスし、各種データベースを参照することで、必要な情報を取得することが可能となる。また、図５に示す各手段のうち、一部の手段を端末装置側（もしくは、端末装置内のアプリケーション）にて実現するような構成であってもよい。
【００４５】
［処理フロー］
（サービス範囲決定処理）
図６を用いて、サーバ５００において、サービスを提供可能な範囲を決定する処理の流れについて説明する。本処理は、サーバ５００のＣＰＵがＨＤＤ等に保持されたプログラムを読み出して実行することにより、サービス範囲判定手段５０４として動作することにより実現される。本処理は、例えば、所定の間隔ごとに行われてもよいし、ユーザからの指示を受け付けた際に実行されてもよい。
【００４６】
Ｓ６０１にて、サーバ５００は、サービス拠点の位置情報を取得する。このとき、サービス拠点の周辺の道路状況や天候、混雑状況などの情報を併せて取得してもよい。
【００４７】
Ｓ６０２にて、サーバ５００は、サービス拠点の位置情報を起点として、フル充電を行ったモバイルバッテリを用いてモビリティにて移動可能な範囲を特定する。ここでは、利用するモビリティの仕様やモバイルバッテリの情報などに基づいて、移動可能な範囲を特定してもよい。また、往復の移動やサービス拠点の周辺の道路の状況などに応じて、移動可能な範囲を特定してもよい。
【００４８】
Ｓ６０３にて、サーバ５００は、サービス拠点以外の各配置位置に配置されたモバイルバッテリの配置状況および充電状況の情報をバッテリ情報ＤＢ５０７から取得する。例えば、図１に示すモバイルバッテリ１１０〜１１２などの情報が該当する。
【００４９】
Ｓ６０４にて、サーバ５００は、Ｓ６０３にて取得したモバイルバッテリの情報に基づき、Ｓ６０２にて特定した範囲内に利用可能な他のモバイルバッテリが配置されているか否かを判定する。ここでの利用可能なモバイルバッテリとは、配置先の拠点にて利用許可が行われている場合や、所定の閾値以上の充電が完了しているモバイルバッテリなどが挙げられる。なお、利用可能と判定するための基準は特に限定するものではなく、配置先のユーザによって指定されてもよいし、契約などに応じて規定されてもよい。もしくは、他のユーザによる利用予約が行われている際には、そのモバイルバッテリは利用不可として判定してもよい。利用可能なモバイルバッテリが配置されている場合は（Ｓ６０４にてＹＥＳ）、Ｓ６０５へ進み、配置されていない場合は（Ｓ６０４にてＮＯ）、Ｓ６０８へ進む。
【００５０】
Ｓ６０５にて、サーバ５００は、利用可能なモバイルバッテリが配置されている位置を起点として、当該モバイルバッテリを利用して移動可能な範囲を特定する。ここでは、利用するモビリティの仕様やモバイルバッテリの情報などに基づいて、移動可能な範囲を特定してもよい。また、往復の移動や、配置されている位置の周辺の道路の状況などに応じて、移動可能な範囲を特定してもよい。複数の利用可能なモバイルバッテリがある場合には、モバイルバッテリそれぞれが配置されている位置それぞれを起点として移動可能な範囲を特定する。
【００５１】
Ｓ６０６にて、サーバ５００は、Ｓ６０５にて特定した範囲に基づき、サービスを提供可能な範囲を更新する。このとき、移動可能な範囲について、優先度の設定を行うようにしてもよい。例えば、サービス拠点およびモバイルバッテリが配置された位置から移動可能な範囲として特定された領域において、重複する領域については、複数のモバイルバッテリを利用可能な範囲である。つまり、利用しようと想定していたモバイルバッテリが急遽他のユーザによって使用されたとしても、代替となる別のモバイルバッテリが近くに位置するような状況となる。そのため、この重複する領域に含まれる位置に配置されたモバイルバッテリを優先的に用いるような制御を行ってもよい。
【００５２】
Ｓ６０７にて、サーバ５００は、Ｓ６０６にて更新を行った範囲をサービス可能な範囲として特定する。そして、本処理フローを終了する。
【００５３】
Ｓ６０８にて、サーバ５００は、Ｓ６０２にて特定した範囲を、サービスを提供可能な範囲として特定する。そして、本処理フローを終了する。
【００５４】
なお、上記については、特にサービス内容については考慮していないが、例えば、サービスに要する時間や、サービス時に運搬が必要な機材などがある場合には、そのサービスの特性に応じて、サービスを提供可能な範囲を特定してもよい。
【００５５】
［モバイルバッテリの配置に係るインセンティブ］
上述したように、出張サービス事業者側としては、サービス拠点１０１以外にモバイルバッテリを配置できる場所が数多く存在することで、サービスを提供可能な範囲を拡大することができる。一方、モバイルバッテリを配置する側（例えば、サービス利用者）としては、モバイルバッテリを配置することにより、充電などの負担が生じるため、これに見合ったインセンティブを得ることが望ましい。
【００５６】
そこで、本実施形態は、モバイルバッテリの機能や、出張サービスの特性を考慮して、サービス利用者側のインセンティブとなる構成を設ける。更には、出張サービス事業者側の利便性も向上させるための形態について説明する。
【００５７】
ここでは、出張サービスとして、在宅医療サービスを例に挙げて説明を行う。在宅医療サービスでは、定期的な訪問を所定の場所（例えば、家）に行うという特性がある。また、在宅医療においては、その場所におけるサービス利用者の日頃の生活習慣や行動パターン（部屋間の移動や電化製品の利用状況、薬の服用状況など）に関する情報や生体情報（血圧や体温）を取得・管理したり、医療に関連するような機器が用いられたりすることがある。このような情報を収集したり、利用したりする機器として、例えば、血圧を測る機器や各種センサ類、生活家電などが挙げられる。ここでは、便宜上、このような機器を「拠点機器」と称する。
【００５８】
本実施形態に係るモバイルバッテリ４００は、図４にて示した構成を備え、設置場所（例えば、家）で充電されていると同時に、当該家に設置された各種拠点機器から所定の種類のデータを収集する。また、モバイルバッテリ４００にて収集されたサービス拠点７０１にて収集したデータを集約して保持するものとして説明する。
【００５９】
このように、モバイルバッテリ４００を充電している際にその拠点における所定の情報を収集することで、例えば、ユーザは、サービスに有用な情報を適時サービス事業者に提供することでサービス内容の向上を図ることができる。更には、サービス事業者としては、必要な情報をモバイルバッテリに蓄積することができる。
【００６０】
［データ収集シーケンス］
図７を用いて、本実施形態における、モバイルバッテリ４００が配置された位置において拠点機器からデータを収集するシーケンスを説明する。このとき、各設置場所には、モバイルバッテリ４００と通信を行い情報の送受信が可能な拠点機器が配置されるものとする。また、本実施形態に係るモビリティ７０２は、外部とのネットワーク通信が可能であるものとする。ここでは、各設置場所を充電拠点７０３として示す。
【００６１】
Ｓ７１１にて、サービス拠点７０１では、モバイルバッテリ４００に対する充電が行われる。
【００６２】
Ｓ７１２にて、サービス拠点７０１では、サービスマンの訪問において利用されるモバイルバッテリ４００の貸し出しが行われる。このとき、モバイルバッテリ４００の蓄電手段４０１は、フル充電もしくはそれに近い状態で貸し出しが行われる。一方、モバイルバッテリ４００の記憶手段４０２に記憶されたデータは必要最低限の状態となっており、十分に記憶領域が確保されているものとする。
【００６３】
Ｓ７１３にて、モビリティ７０２は、貸し出しが行われたモバイルバッテリ４００を用いて走行を行う。これに伴って、モバイルバッテリ４００の電力消費が行われる。なお、このとき、モバイルバッテリ４００は、記憶手段４０２に、電力の消費状況を履歴情報として記憶してよい。
【００６４】
Ｓ７１４にて、充電拠点７０３では、モバイルバッテリ４００の設置が行われる。例えば、上述したように、サービスマンが、モビリティ７０２に搭載されていた電力の残容量が少ないモバイルバッテリを、充電拠点７０３にて充電していたモバイルバッテリと交換することでモバイルバッテリが充電拠点７０３に設置されることとなる。
【００６５】
Ｓ７１５にて、充電拠点７０３では、モバイルバッテリ４００の充電が行われる。このとき、モバイルバッテリ４００に対する充電が再開されたことに伴って、そのモバイルバッテリ４００の位置情報（充電が行われている場所）を更新するようにサーバ５００に位置情報を送信してもよい。もしくは、モバイルバッテリ４００がモビリティ７０２から外され、他のモバイルバッテリに交換されたことに伴って、モバイルバッテリ４００が外された位置に関する情報をモビリティ７０２がサーバ５００に通知するような構成であってもよい。また、交換履歴に関する情報が記録されてもよい。
【００６６】
Ｓ７１６にて、充電拠点７０３では、モバイルバッテリ４００によるデータの収集が行われる。ここでのデータの収集は、モバイルバッテリ４００の通信手段４０３や入出力手段４０４が、充電拠点７０３に設置された各種拠点機器から送信された情報を収集する。ここでの拠点機器としては、例えば、在宅医療に用いられる医療機器や、電化製品、撮像装置（カメラ）、検知機器（センサ）、録音装置（マイク）などが挙げられ、特に限定するものではない。また、収集するデータについても静止画や動画、音声など特に限定するものではない。なお、収集対象のデータを提供する拠点機器との通信等に関する設定は予め行われているものとする。また、モバイルバッテリ４００は、収集を行った履歴情報などを記録するようにしてもよい。
【００６７】
Ｓ７１７にて、充電拠点７０３では、充電が行われたモバイルバッテリ４００の貸し出しが行われる。例えば、新たに訪問したサービスマンが、モバイルバッテリ４００を交換することで貸し出しが行われる。
【００６８】
Ｓ７１８にて、モビリティ７０２は、搭載されたモバイルバッテリ４００の記憶手段４０２に記憶された各種データをサービス拠点７０１等に設置されたサーバ５００に送信する。ここで、モビリティ７０２は、外部と通信を行うための通信手段を備えているものとする。なお、通信規格等については特に限定するものでは無く、必要に応じて通信方法を切り替えるようにしてもよい。
【００６９】
Ｓ７１９にて、サービス拠点７０１では、モビリティ７０２から送信されてきたデータの収集を行う。このとき、交換前のモバイルバッテリに関する情報も併せて収集してよい。例えば、交換に伴って設置されたモバイルバッテリの位置情報や交換タイミングに関する情報などが挙げられる。
【００７０】
Ｓ７２０にて、モビリティ７０２は、貸し出しが行われたモバイルバッテリ４００を用いて走行を行う。これに伴って、モバイルバッテリ４００の電力消費が行われる。なお、このとき、モバイルバッテリ４００は、記憶手段４０２に、電力の消費状況を履歴情報として記憶してよい。また、Ｓ７１８におけるデータの送信と並行して本工程は行われてよい。
【００７１】
Ｓ７２１にて、サービス拠点７０１では、利用されたモバイルバッテリ４００の返却が行われる。
【００７２】
なお、上記の例において、サービスマンが１カ所の充電拠点（訪問先）にてモバイルバッテリを交換する場合を示したが、これに限定するものではない。例えば、複数の充電拠点（訪問先）を訪問する場合には、モバイルバッテリを交換するごとにモビリティ７０２から各モバイルバッテリの記憶手段に蓄積されたデータがサーバ５００に送信されることとなる。
【００７３】
以上、本実施形態では、モバイルバッテリを用いたモビリティを利用して出張サービスを提供する際に、サービスの提供範囲を広げつつ、モバイルバッテリの機能を利用した情報収集を可能とする。これにより、出張サービスの利便性を向上させることができる。
【００７４】
＜第２の実施形態＞
本発明の第２の実施形態として、第１の実施形態とは異なるデータの収集方法について説明する。なお、上記の実施形態と重複する構成については、説明を省略する。
【００７５】
［データ収集シーケンス］
図８を用いて、本実施形態における、モバイルバッテリ４００が配置された位置においてデータを収集するシーケンスを説明する。ここでは、第１の実施形態と同様、提供されるサービスとして在宅医療サービスを例に挙げ、モバイルバッテリが在宅医療サービスを利用する家庭に配置される場合の例を説明する。Ｓ７１１〜Ｓ７１７は、第１の実施形態にて図７を用いて説明した構成と同様であるため、ここでの説明は省略する。
【００７６】
Ｓ８０１にて、モビリティ７０２は、Ｓ７１７にて貸し出しが行われたモバイルバッテリ４００を用いて走行を行う。これに伴って、モバイルバッテリ４００の電力消費が行われる。なお、このとき、モバイルバッテリ４００は、記憶手段４０２に、電力の消費状況を履歴情報として記憶してよい。
【００７７】
Ｓ８０２にて、サービス拠点７０１に対し、モビリティ７０２にて利用されたモバイルバッテリ４００の返却が行われる。
【００７８】
Ｓ８０３にて、サービス拠点７０１では、モバイルバッテリ４００の返却を受け付ける。このとき、モバイルバッテリ４００が返却されたことに伴い、サーバ５００にて、その配置先として位置情報を更新するようにしてもよい。
【００７９】
Ｓ８０４にて、サービス拠点７０１では、モバイルバッテリ４００の記憶手段４０２に記憶されていたデータを収集し、サーバ５００にて管理を行う。
【００８０】
以上、本実施形態では、第１の実施形態と同様、モバイルバッテリを用いたモビリティを利用して出張サービスを提供する際に、サービスの提供範囲を広げつつ、モバイルバッテリの機能を利用した情報収集を可能とする。また、モバイルバッテリによる走行中に収集したデータの通信を抑制しているため、その処理負荷を抑えることができる。
【００８１】
＜第３の実施形態＞
本発明の第３の実施形態として、モバイルバッテリ４００が配置された設置場所（例えば、家）とその設置場所で発生しているタスクとを関連づけて管理し、マッピングする実施形態について説明する。なお、上記の各実施形態と重複する構成については、説明を省略する。本実施形態においても、出張サービスの例として、在宅医療サービスを例に挙げて説明する。
【００８２】
［ソフトウェア構成］
図９を用いて、本実施形態に係るソフトウェアの構成例について説明する。本実施形態に係るサーバ５００は、第１の実施形態にて図５を用いて説明した構成に加え、更に、タスク受付手段９０１、タスク管理手段９０２、タスク表示処理手段９０３、及びタスク情報ＤＢ９０４を含んで構成される。
【００８３】
タスク受付手段９０１は、モバイルバッテリ４００を設置している設置場所にいるユーザからタスクを受け付ける。ここでのタスクの種類は、特に限定するものでは無いが、例えば在宅医療サービスの利用者であるユーザは、所定の医薬品を搬送するタスクや、定期的に行われる検診を要求するタスクなどが挙げられる。ここでのタスクの種類は出張サービスを利用するユーザとの契約に基づいて規定されてもよい。
【００８４】
タスク管理手段９０２は、タスクの要求状況や完了状況、もしくは処理履歴などをタスク情報ＤＢ９０４にて管理、更新する。タスク表示処理手段９０３は、要求されているタスクと、そのタスクが生じている拠点とを対応付けて表示する処理を行う。
【００８５】
タスク情報ＤＢ９０４は、タスクの要求状況や完了状況、もしくは処理履歴などを管理、保持する。また、タスク情報ＤＢ９０４は、提供しているサービスや契約の内容に応じて、ユーザが要求可能なタスクの種類に関する情報を保持してもよい。
【００８６】
［ＵＩ画面］
図１０を用いて、本実施形態に係るＵＩ画面にて表示される例について説明する。以下に説明するＵＩ画面は、サーバ５００のタスク表示処理手段９０３が、ユーザの要求等に応じて提供するものである。ここでは、モバイルバッテリ４００を搭載したモビリティを利用しているサービスマンが有する端末において、自身の位置を中心としてその周辺に位置する充電拠点およびタスクの発生状況を示したＵＩ画面を表している。本実施形態では、サービスマンが有する端末は、図３に示した端末装置３００に対応するものとする。
【００８７】
アイコン１００１は、自車両の位置を示す。破線１００２は、自車両が搭載しているモバイルバッテリの残容量で到達可能な範囲を示す。自車両（アイコン１００１）の周辺には、予め登録されたモバイルバッテリが配置される充電拠点１００３〜１００８が位置し、夫々がタスクの発生状況と併せて表示されている。図１０に示す例では、充電拠点１００３〜１００７にはそれぞれ、現時点で利用可能なモバイルバッテリ１００９〜１０１２が配置されている。また、アイコン１０１３により、充電拠点１００５がサービスの提供先（目的地）であることを示している。また、アイコン１０１４〜１０１６はそれぞれ、充電拠点１００３、１００４、１００７において、何らかのタスクが発生していることを示している。また、アイコン１０１７、１０１８は、充電拠点１００６、１００８では、タスクが発生していないことを示している。
【００８８】
ここではタスクの詳細な内容については表示していないが、詳細を表示するようにしてもよいし、新規タスク有りに関するアイコンを選択することで、詳細な内容を表示するようにしてもよい。また、充電拠点の詳細な位置情報や、現在位置もしくは目的地からの所要時間なども併せて表示するようにしてもよい。また、タスクが発生していないという情報（アイコン１０１７、１０１８）には表示しないような構成であってもよい。また、充電拠点に配置されたモバイルバッテリの詳細な情報（充電状況など）を併せて表示するようにしてもよい。また、図１０では、簡略化した地図上に充電拠点や自車両の位置を表示しているが、地図の拡大／縮小を行うことで、更に詳細な道路情報や経路情報などを表示するようにしてもよい。
【００８９】
ユーザは、新規タスク有りに関するアイコンを選択することで、その新規タスクに関する処理を行うことを要求することができる。例えば、ユーザの目的地（サービスの提供先）である充電拠点１００５に移動する経路上に、充電拠点１００４が位置しており、ここでは新規タスクが発生している。この場合において、ユーザは、新規タスクの内容によっては、目的地に移動する最中にタスクを処理することが可能である。このような場合において、ユーザは充電拠点１００４にて発生しているタスクの処理を行うように要求する。この要求によりタスク情報ＤＢ９０４では処理予定済みとして管理され、また、画面上からは新規タスクとして表示されなくなる。なお、処理を担当するユーザにのみ担当タスクがある旨の表示を行うようにしてもよい。
【００９０】
このような構成にすることで、ユーザは、例えば、充電拠点１００４において、タスクの処理と併せて、フル充電されたモバイルバッテリの交換を行うことができる。また、充電拠点１００４を提供しているユーザは、モバイルバッテリの充電とその設置位置を提供する代わりに、要求したタスクを処理してもらえたり、担当者（サービスマン）の訪問を受けたりすることができる。
【００９１】
［処理シーケンス］
（表示処理）
図１１を用いて、本実施形態に係る表示処理の流れについて説明する。本処理は、サーバ５００のＣＰＵがＨＤＤ等に保持されたプログラムを読み出して実行することにより、タスク受付手段９０１、タスク管理手段９０２、及びタスク表示処理手段９０３として動作することにより実現される。また、本処理が行われる前提として、サービスマンはサービスの提供先（目的地）の情報をサーバ５００に登録している。また、各充電拠点におけるタスクが適時登録されているものとする。
【００９２】
Ｓ１１０１にて、サーバ５００は、ユーザが有する端末装置から表示要求を受け付ける。ここでの端末装置は、モビリティに備えられた端末装置でもよいし、モビリティと連携して情報の送受信が可能な端末装置であってもよい。また、これらの端末装置は、例えばＧＰＳ（Global Positioning System）機能などにより、自身の現在位置に関する情報を取得可能であるとする。本実施形態において、端末装置から送信される表示要求には、自車両の位置情報や、搭載しているモバイルバッテリの残容量などに関する情報が含まれるものとする。
【００９３】
Ｓ１１０２にて、サーバ５００は、Ｓ１１０１にて受け付けた表示要求に含まれるモビリティの位置情報及びバッテリの残容量に応じて、当該モビリティが移動可能な範囲を特定する。
【００９４】
Ｓ１１０３にて、サーバ５００は、ユーザ情報ＤＢ５０６やバッテリ情報ＤＢ５０７から、充電拠点の情報を取得する。
【００９５】
Ｓ１１０４にて、サーバ５００は、Ｓ１１０１にて受け付けた表示要求に含まれるモビリティの位置情報に基づき、Ｓ１１０３にて取得した充電拠点の中から、当該モビリティの周辺に位置する充電拠点を特定する。ここで特定される充電拠点は、モビリティの位置から所定の範囲に含まれる充電拠点とする。なお、所定の範囲は、予め固定値が指定されていてもよいし、モバイルバッテリの残容量や目的地の位置に応じて決定してもよい。
【００９６】
Ｓ１１０５にて、サーバ５００は、Ｓ１１０４にて特定された充電拠点におけるタスクに関する情報をタスク情報ＤＢ９０４から取得する。
【００９７】
Ｓ１１０６にて、サーバ５００は、画面の要求元であるユーザのサービスの提供先（目的地）をユーザ情報ＤＢ５０６等から取得する。
【００９８】
Ｓ１１０７にて、サーバ５００は、Ｓ１１０２にて特定した移動可能範囲、Ｓ１１０４にて特定した充電拠点、Ｓ１１０５にて取得したタスク情報、及びＳ１１０６にて取得した目的地の情報を含む画面を構成する。
【００９９】
Ｓ１１０８にて、サーバ５００は、Ｓ１１０７にて構成した画面を画面要求元のユーザの端末装置に提供する。そして、本処理フローは終了する。
【０１００】
なお、上記の例では、表示処理をサーバ５００側で行い、生成した画面をユーザの端末装置に提供する構成としたが、これに限定するものではない。例えば、サーバ５００が表示に必要な情報を端末装置側に提供し、端末装置に備えられたアプリケーションが表示処理を行うようにしてもよい。
【０１０１】
また、モビリティの位置が移動した場合や、タスクの処理状況に応じて、表示される画面の内容は適時更新されるものとする。更新頻度や更新間隔は予め定義されていてもよい。
【０１０２】
以上、本実施形態により、モバイルバッテリの充電拠点を提供するユーザのタスクを受け付けることが可能な構成により、モバイルバッテリの充電拠点を提供するユーザによる本発明のシステムを利用する利便性を向上させることができる。
【０１０３】
＜その他の実施形態＞
上記の実施形態にて説明した構成に加え、サービス範囲の決定の際には、距離情報に限らず、混雑状況などの道路状況や、天候などの情報、バッテリの劣化情報や充電状況などの情報も利用可能であってもよい。
【０１０４】
また、各充電拠点に設置されたモバイルバッテリに対し、予約機能を設けてもよい。これにより、計画的にモバイルバッテリを利用でき、他の人からの利用を制限が可能となる。また、予約機能には、優先度を設け、他のユーザによる緊急時の利用は許可するような構成であってもよい。
【０１０５】
また、第３の実施形態に関し、タスクの予約機能を設けてもよい。これにより、重複したタスクの実行を防止することができる。また、タスクの実行の要求を受け付けた際に、期限を設け、その期限を過ぎてもタスクが実行されていない場合には、再度新規タスクとして管理するようにしてもよい。また、充電拠点のユーザがタスクを登録する際に、タスクの実行期限などの条件を指定できるようにしてもよい。
【０１０６】
また、サービスの提供の要求を受け付けた際に、その提供先が充電拠点に位置するモバイルバッテリを利用することで提供可能となる範囲に位置する場合、予め、サービス拠点、モバイルバッテリが位置する充電拠点、サービス提供先（目的地）の経路を算出し、サービスマンに提示する構成であってもよい。
【０１０７】
また、サービスの内容によっては、サービス拠点や現在のモビリティの位置からの提供可能な範囲（距離）に対する上限を用いてもよい。例えば、サービスに利用される機材やその時の天候、他のサービスのスケジュールとの関係で範囲に対する上限を規定してもよい。
【０１０８】
＜実施形態のまとめ＞
１．上記実施形態のサービス管理システム（例えば、５００）は、
サービス事業者の拠点の情報、及びモバイルバッテリの情報を管理する管理手段（例えば、５０７、５０９）と、
前記サービス事業者の拠点の情報、及び、利用可能なモバイルバッテリの配置位置に基づいて、モバイルバッテリを搭載可能なモビリティを用いた前記サービス事業者によるサービスの提供可能な範囲を特定する制御手段（例えば、５０４、５０５）と
を有する。
【０１０９】
この実施形態により、モバイルバッテリを用いたモビリティを利用して出張サービスを提供する際の利便性を向上させることができる。
【０１１０】
２．上記実施形態のサービス管理システムでは、
前記サービス事業者の拠点の位置と、前記サービスの提供先の位置と、利用可能なモバイルバッテリが配置された位置とのそれぞれの間の距離を算出する算出手段（例えば、５０４）を更に有し、
前記制御手段は、前記算出手段にて算出された距離に基づいて、前記サービス事業者によるサービスの提供可能な範囲を特定する。
【０１１１】
この実施形態により、利用可能なモバイルバッテリが配置された各位置に応じて、サービスを提供可能な範囲を適切に特定することができる。
【０１１２】
３．上記実施形態のサービス管理システムでは、
前記サービス事業者により提供可能なサービスを、ユーザに提示する提示手段（例えば、５０５）を更に有し、
前記提示手段は、前記制御手段にて特定されたサービスの提供可能な範囲に基づいて、当該ユーザに提供可能なサービスを提示することを特徴とする。
【０１１３】
この実施形態により、ユーザそれぞれの位置に応じて、利用可能なサービスを適切に提示することができる。
【０１１４】
４．上記実施形態のサービス管理システムでは、
前記サービス事業者の拠点以外の位置に配置されているモバイルバッテリの情報を収集する収集手段（例えば、５０３）を更に有することを特徴とする。
【０１１５】
この実施形態により、サービス拠点以外に配置されているモバイルバッテリの情報を適切に収集することができる。
【０１１６】
５．上記実施形態のサービス管理システムでは、
前記モバイルバッテリの情報は、モバイルバッテリの充電に関する情報を含むことを特徴とする。
【０１１７】
この実施形態により、サービス拠点以外に配置されているモバイルバッテリの充電状況に関する情報を適切に収集・管理することができる。
【０１１８】
６．上記実施形態のサービス管理システムでは、
前記モバイルバッテリの配置位置に関する情報は、当該モバイルバッテリが移動され、充電が再開されたことに応じて、更新される。
【０１１９】
この実施形態により、モバイルバッテリの移動および充電動作に伴って適切に情報の管理を行うことができる。
【０１２０】
７．上記実施形態のサービス管理システムでは、
前記サービス事業者によるサービスを提供可能な距離は、サービスの種類に応じて異なることを特徴とする。
【０１２１】
この実施形態により、サービス内容に応じた提供可能な範囲を算出することができる。
【０１２２】
８．上記実施形態のサービス管理システムでは、
モバイルバッテリが配置された位置におけるタスクを受け付ける受付手段（例えば、９０１）と、
前記受付手段にて受け付けたタスクを当該モバイルバッテリの情報と対応付けて提示する提示手段（例えば、９０３）と、
を更に有することを特徴とする。
【０１２３】
この実施形態により、サービス事業者やモバイルバッテリを配置するユーザに対する、サービスの利便性を向上させることができる。
【０１２４】
９．上記実施形態のサービス管理システムでは、
前記収集手段は、前記モバイルバッテリが配置された位置において充電されている際に、当該モバイルバッテリの情報を収集することを特徴とする。
【０１２５】
この実施形態により、モバイルバッテリの充電動作に伴って適切に情報の管理を行うことができる。
【０１２６】
１０．上記実施形態のサービス管理システムでは、
前記モバイルバッテリが配置される位置は、サービス事業者の拠点、または、サービスの提供先のいずれかであることを特徴とする。
【０１２７】
この実施形態により、サービスの利用者の拠点を、モバイルバッテリの配置位置として利用可能となる。
【０１２８】
１１．上記実施形態の情報処理装置（例えば、３１０）では、
サービス事業者の拠点の情報、及びモバイルバッテリの情報を取得する取得手段（例えば、５０７、５０９）と、
前記サービス事業者の拠点の情報、及び、利用可能なモバイルバッテリの配置位置に基づいて、モバイルバッテリを搭載可能なモビリティを用いた前記サービス事業者によるサービスの提供可能な範囲を特定する制御手段（例えば、５０４、５０５）と
を有する。
【０１２９】
この実施形態により、モバイルバッテリを用いたモビリティを利用して出張サービスを提供する際の利便性を向上させるための装置を提供することができる。
【０１３０】
１２．上記実施形態の情報処理装置では、
前記サービス事業者の拠点の位置と、前記サービスの提供先の位置と、利用可能なモバイルバッテリが配置された位置とのそれぞれの間の距離を算出する算出手段（例えば、５０４）を更に有し、
前記制御手段は、前記算出手段にて算出された距離に基づいて、前記サービス事業者によるサービスの提供可能な範囲を特定する。
【０１３１】
この実施形態により、利用可能なモバイルバッテリが配置された各位置に応じて、サービスを提供可能な範囲を適切に特定することができる。
【０１３２】
１３．上記実施形態の情報処理装置では、
前記サービス事業者により提供可能なサービスを、ユーザに提示する提示手段（例えば、５０５）を更に有し、
前記提示手段は、前記制御手段にて特定されたサービスの提供可能な範囲に基づいて、当該ユーザに提供可能なサービスを提示することを特徴とする。
【０１３３】
この実施形態により、ユーザそれぞれの位置に応じて、利用可能なサービスを適切に提示することができる。
【０１３４】
１４．上記実施形態の情報処理装置では、
前記サービス事業者の拠点以外の位置に配置されているモバイルバッテリの情報を収集する収集手段（例えば、５０３）を更に有することを特徴とする。
【０１３５】
この実施形態により、サービス拠点以外に配置されているモバイルバッテリの情報を適切に収集することができる。
【０１３６】
１５．上記実施形態の情報処理装置では、
前記モバイルバッテリの情報は、モバイルバッテリの充電に関する情報を含むことを特徴とする。
【０１３７】
この実施形態により、サービス拠点以外に配置されているモバイルバッテリの充電状況に関する情報を適切に収集・管理することができる。
【０１３８】
１６．上記実施形態の情報処理装置では、
前記モバイルバッテリの配置位置に関する情報は、当該モバイルバッテリが移動され、充電が再開されたことに応じて、更新される。
【０１３９】
この実施形態により、モバイルバッテリの移動および充電動作に伴って適切に情報の管理を行うことができる。
【０１４０】
１７．上記実施形態の情報処理装置では、
前記サービス事業者によるサービスを提供可能な距離は、サービスの種類に応じて異なることを特徴とする。
【０１４１】
この実施形態により、サービス内容に応じた提供可能な範囲を算出することができる。
【０１４２】
１８．上記実施形態の情報処理装置では、
モバイルバッテリが配置された位置におけるタスクを受け付ける受付手段（例えば、９０１）と、
前記受付手段にて受け付けたタスクを当該モバイルバッテリの情報と対応付けて提示する提示手段（例えば、９０３）と、
を更に有することを特徴とする。
【０１４３】
この実施形態により、サービス事業者やモバイルバッテリを配置するユーザに対する、サービスの利便性を向上させることができる。
【０１４４】
１９．上記実施形態の情報処理装置では、
前記収集手段は、前記モバイルバッテリが配置された位置において充電されている際に、当該モバイルバッテリの情報を収集することを特徴とする。
【０１４５】
この実施形態により、モバイルバッテリの充電動作に伴って適切に情報の管理を行うことができる。
【０１４６】
２０．上記実施形態の情報処理装置では、
前記モバイルバッテリが配置される位置は、サービス事業者の拠点、または、サービスの提供先のいずれかであることを特徴とする。
【０１４７】
この実施形態により、サービスの利用者の拠点を、モバイルバッテリの配置位置として利用可能となる。
【０１４８】
２１．上記実施形態のサービス管理方法は、
サービス事業者の拠点の情報、及びモバイルバッテリの情報を管理するサービス管理システム（例えば、５００）におけるサービス管理方法であって、
前記サービス事業者の拠点の情報、及び、利用可能なモバイルバッテリの配置位置に基づいて、モバイルバッテリを搭載可能なモビリティを用いた前記サービス事業者によるサービスの提供可能な範囲を特定する制御工程（例えば、Ｓ６０１〜Ｓ６０７）を有する。
【０１４９】
この実施形態により、モバイルバッテリを用いたモビリティを利用して出張サービスを提供する際の利便性を向上させることができる。
【０１５０】
２２．上記実施形態のサービス管理方法では、
前記サービス事業者の拠点の位置と、前記サービスの提供先の位置と、利用可能なモバイルバッテリが配置された位置とのそれぞれの間の距離を算出する算出工程を更に有し、
前記制御工程において、前記算出工程にて算出された距離に基づいて、前記サービス事業者によるサービスの提供可能な範囲を特定することを特徴とする。
【０１５１】
この実施形態により、利用可能なモバイルバッテリが配置された各位置に応じて、サービスを提供可能な範囲を適切に特定することができる。
【０１５２】
２３．上記実施形態のサービス管理方法では、
前記サービス事業者により提供可能なサービスを、ユーザに提示する提示工程（例えば、Ｓ６０７、Ｓ６０８）を更に有し、
前記提示工程において、前記制御工程にて特定されたサービスの提供可能な範囲に基づいて、当該ユーザに提供可能なサービスを提示することを特徴とする。
【０１５３】
この実施形態により、ユーザそれぞれの位置に応じて、利用可能なサービスを適切に提示することができる。
【０１５４】
２４．上記実施形態のサービス管理方法では、
前記サービス事業者の拠点以外の位置に配置されているモバイルバッテリの情報を収集する収集工程（例えば、Ｓ６０３）を更に有することを特徴とする。
【０１５５】
この実施形態により、サービス拠点以外に配置されているモバイルバッテリの情報を適切に収集することができる。
【０１５６】
２５．上記実施形態のサービス管理方法では、
前記モバイルバッテリの情報は、モバイルバッテリの充電に関する情報を含むことを特徴とする。
【０１５７】
この実施形態により、サービス拠点以外に配置されているモバイルバッテリの充電状況に関する情報を適切に収集・管理することができる。
【０１５８】
２６．上記実施形態のサービス管理方法では、
前記モバイルバッテリの配置位置に関する情報は、当該モバイルバッテリが移動され、充電が再開されたことに応じて、更新されることを特徴とする。
【０１５９】
この実施形態により、モバイルバッテリの移動および充電動作に伴って適切に情報の管理を行うことができる。
【０１６０】
２７．上記実施形態のサービス管理方法では、
前記サービス事業者によるサービスを提供可能な距離は、サービスの種類に応じて異なることを特徴とする。
【０１６１】
この実施形態により、サービス内容に応じた提供可能な範囲を算出することができる。
【０１６２】
２８．上記実施形態のサービス管理方法では、
モバイルバッテリが配置された位置におけるタスクを受け付ける受付工程（例えば、Ｓ１１０５）と、
前記受付工程にて受け付けたタスクを当該モバイルバッテリの情報と対応付けて提示する提示工程（例えば、Ｓ１１０８）と、
を更に有する。
【０１６３】
この実施形態により、サービス事業者やモバイルバッテリを配置するユーザに対する、サービスの利便性を向上させることができる。
【０１６４】
２９．上記実施形態のサービス管理方法では、
前記収集工程において、前記モバイルバッテリが配置された位置において充電されている際に、当該モバイルバッテリの情報を収集することを特徴とする。
【０１６５】
この実施形態により、モバイルバッテリの充電動作に伴って適切に情報の管理を行うことができる。
【０１６６】
３０．上記実施形態のサービス管理方法では、
前記モバイルバッテリが配置される位置は、サービス事業者の拠点、または、サービスの提供先のいずれかであることを特徴とする。
【０１６７】
この実施形態により、サービスの利用者の拠点を、モバイルバッテリの配置位置として利用可能となる。
【０１６８】
３１．上記実施形態の端末装置（例えば、３００）では、
モバイルバッテリを搭載したモビリティの位置情報、及び前記モビリティの周辺に位置するモバイルバッテリの配置位置の情報を取得する取得手段（例えば、５０７、５０９）と、
前記モビリティの位置情報、及び前記モビリティの周辺に位置するモバイルバッテリの配置位置の情報に基づいて、当該モビリティにて到達可能な範囲を特定する制御手段（例えば、５０４、５０５）と
を有する。
【０１６９】
この実施形態により、サービスマンによるサービスの提供の際の行動範囲を特定でき、出張サービスの利便性を向上させることができる。
【０１７０】
３２．上記実施形態のモバイルバッテリ（例えば、４００）では、
データを収集する収集手段（例えば、４０３、４０４）と、
前記収集手段にて収集したデータを保持する保持手段（例えば、４０２）と、
電力を蓄積する蓄電手段（例えば、４０１）と、
前記保持手段にて保持されたデータを出力する出力手段（例えば、４０４）と
を備え、
前記収集手段は、前記蓄電手段に対する充電が行われている際に、周辺に位置する外部機器から送信された所定の情報を収集することを特徴とする。
【０１７１】
この実施形態により、出張サービスに利用されるモビリティに搭載可能なモバイルバッテリについて、サービスと連携して情報収集が可能とすることで、モバイルバッテリを配置する位置のユーザやサービス事業者の利便性を向上させ、インセンティブを付与することができる。
【０１７２】
３３．上記実施形態のモバイルバッテリでは、
前記外部機器は、医療機器であり、
前記所定の情報は、生体情報であることを特徴とする。
【０１７３】
この実施形態により、モバイルバッテリは、医療サービスに関連する機器と連携して生体情報の収集を行うことが可能となる。
【０１７４】
３４．上記実施形態のモバイルバッテリでは、
前記外部機器は、撮像装置であり、
前記所定の情報は、動画であることを特徴とする。
【０１７５】
この実施形態により、モバイルバッテリは、周辺の撮像装置と連携して動画データの収集を行うことが可能となる。
【０１７６】
３５．上記実施形態のモバイルバッテリでは、
前記外部機器は、録音装置であり、
前記所定の情報は、音声であることを特徴とする。
【０１７７】
この実施形態により、モバイルバッテリは、周辺の録音装置と連携して音声データの収集を行うことが可能となる。
【０１７８】
３６．上記実施形態のモバイルバッテリでは、
前記出力手段は、前記モバイルバッテリが通信手段を備えるモビリティに接続された際に、前記通信手段を介して前記データを外部装置へ出力する。
【０１７９】
この実施形態により、モバイルバッテリは、適切なタイミングにて、収集したデータを外部へ出力することができる。
【０１８０】
３７．上記実施形態のモバイルバッテリでは、
前記出力手段は、所定の外部装置に接続された際に、前記データを出力することを特徴とする。
【０１８１】
この実施形態により、モバイルバッテリは、適切な対象に対して、収集したデータを出力することができる。
【０１８２】
本発明は上記実施の形態に制限されるものではなく、本発明の精神及び範囲から離脱することなく、様々な変更及び変形が可能である。従って、本発明の範囲を公にするために、以下の請求項を添付する。
【図１】
0006951550.tif 000002
【図２】
0006951550.tif 000003
【図３】
0006951550.tif 000004
【図４】
0006951550.tif 000005
【図５】
0006951550.tif 000006
【図６】
0006951550.tif 000007
【図７】
0006951550.tif 000008
【図８】
0006951550.tif 000009
【図９】
0006951550.tif 000010
【図１０】
0006951550.tif 000011
【図１１】
0006951550.tif 000012